(57)【要約】      （修正有）【課題】レンズ部分において暗部が形成されにくく、意匠性を向上することが可能な照明装置のレンズ部品を提供する。【解決手段】照明装置のレンズ部品であって、照明装置の光源からの光を透過可能な板状部材からなり、光源からの光が入射される板状部材の裏面に複数の凸部４０から構成されるレンズパターン４２を有するレンズカバー３０と、板状部材の一端部３３の近傍においてレンズカバー３０の裏面から立設しているリブ３４と、を備える。レンズ部品が照明装置ハウジングに取り付けられる際に、前記照明装置ハウジングのハウジング側係合部に係合する係合部３６が、リブ３４から更に延設して設けられる。リブ３４及び係合部３６は、光源からの光を透過可能であり、リブ３４の立設先端面３４Ａ及び係合部３６の延設先端面３６Ａにレンズパターン４２を有している。【選択図】図４
2018206570.tif 000002
【特許請求の範囲】
【請求項１】
照明装置のレンズ部品であって、
前記照明装置の光源からの光を透過可能な板状部材からなり、前記光源からの光が入射される当該板状部材の裏面に複数の凸部から構成されるレンズパターンを有するレンズカバーと、
前記板状部材の一端部の近傍において前記レンズカバーの前記裏面から立設しているリブと、を備え、
当該レンズ部品が照明装置ハウジングに取り付けられる際に、前記照明装置ハウジングのハウジング側係合部に係合する係合部が、前記リブから更に延設して設けられ、
前記リブ及び前記係合部は前記光源からの光を透過可能であり、前記リブの立設先端面及び前記係合部の延設先端面に前記レンズパターンを有していることを特徴とする照明装置のレンズ部品。
【請求項２】
前記レンズ部品が前記照明装置ハウジングに取り付けられた際に、前記リブの近傍に配されている前記板状部材の前記一端部は、前記照明装置とは別の部材と直接対向して配されることを特徴とする請求項１に記載の照明装置のレンズ部品。
【請求項３】
前記係合部は、前記レンズ部品が前記照明装置ハウジングに取り付けられる際に、前記照明装置ハウジングの前記ハウジング側係合部を構成している係合孔に係合される係合凸部を有していることを特徴とする請求項１または請求項２に記載の照明装置のレンズ部品。
【請求項４】
前記レンズカバーの前記板状部材の端部から前記裏面側に立設している側壁部と、
前記側壁部の立設先端面において、前記レンズパターンとは異なる複数の凸部からなる凸部パターンを有していることを特徴とする請求項１ないし請求項３のいずれか一項に記載の照明装置のレンズ部品。
【請求項５】
前記レンズパターンの前記複数の凸部のそれぞれは四角錐形状を有しており、
前記凸部パターンの前記複数の凸部のそれぞれは半円柱形状を有していることを特徴とする請求項４に記載の照明装置のレンズ部品。
【発明の詳細な説明】
【技術分野】
【０００１】
本発明は、照明装置のレンズ部品に関する。
【背景技術】
【０００２】
車両の天井部にはルームランプやマップランプ等の室内灯としての照明装置が取り付けられている。このような照明装置では、例えば下記特許文献１に記載されているように、内部に光源ユニットを収容している筐体は光出射側に開口部を有し、開口部に枠体が取り付けられ、枠体に設けられている係合部材とアウターレンズに設けられている係合部材と係合させることによりアウターレンズは枠体に取り付けられている。
【先行技術文献】
【特許文献】
【０００３】
【特許文献１】特開２００９−６７０９８号公報
【発明の概要】
【発明が解決しようとする課題】
【０００４】
上記文献に開示されている構成においては、枠体の係合部材とアウターレンズの係合部材との係合部分は枠体に重畳しているため、アウターレンズを介して車両室内からは視認できない位置に配されている。しかしながら、照明装置を他の機能部品と直接隣接して配置する場合には、意匠性の向上のため、照明装置と他の機能部品との間に枠を設けない構成が採用されている。このような構成においては、照明装置と他の機能部品との間に枠が存在しないため、アウターレンズにおいて他の機能部品と隣接する部分において係合部材を形成することができない。
【０００５】
そこで、アウターレンズにおいて他の機能部品と隣接する端部よりも内側のレンズ面において係合部材を設け、アウターレンズを筐体に取り付けた際にアウターレンズの係合部材と重畳する位置に筐体側の係合部材を設けて、アウターレンズを他の機能部品に隣接させて筐体に取り付けることが考えられる。
【０００６】
しかしながら、アウターレンズは、その端部分よりも内側のレンズ面に係合部材が設けられているため、筐体に取り付けられた状態において、係合部分が暗部として視認されてしまい、見栄えが良くないといった問題があった。特に、照明装置が点灯した状態では、係合部分が暗く映ってしまい、見栄えが良くない。
【０００７】
本発明は上記のような事情に基づいて完成されたものであって、レンズ部分において暗部が形成されにくく、意匠性を向上することが可能な照明装置のレンズ部品を提供することを目的とする。
【課題を解決するための手段】
【０００８】
上記課題を解決するために、本発明は、照明装置のレンズ部品であって、前記照明装置の光源からの光を透過可能な板状部材からなり、前記光源からの光が入射される当該板状部材の裏面に複数の凸部から構成されるレンズパターンを有するレンズカバーと、前記板状部材の一端部の近傍において前記レンズカバーの前記裏面から立設しているリブと、を備え、当該レンズ部品が照明装置ハウジングに取り付けられる際に、前記照明装置ハウジングのハウジング側係合部に係合する係合部が、前記リブから更に延設して設けられ、前記リブ及び前記係合部は前記光源からの光を透過可能であり、前記リブの立設先端面及び前記係合部の延設先端面に前記レンズパターンを有していることを特徴とする。
【０００９】
このような構成においては、レンズカバーの裏面のレンズパターンと同じレンズパターンがリブおよび係合部にも形成されているので、リブ及び係合部を透過する光も、レンズカバーのその他の部分を透過する光と同じように反射あるいは屈折しつつレンズカバーの表面から出射される。そのため、レンズカバーの裏面のレンズパターンと同じレンズパターンが形成されていない構成と比較すると、より多くの光がリブ及び係合部を透過する。
【００１０】
その結果、レンズカバーの係合部が照明装置ハウジングのハウジング側係合部に取り付けられた状態で、レンズカバーの表面においてリブ及び係合部が設けられている部分が暗部として視認されにくく、照明装置の点灯時においても暗部として視認されにくいため、レンズカバー及びレンズ部品の意匠性が向上する。
【００１１】
前記レンズ部品が前記照明装置ハウジングに取り付けられた際に、前記リブの近傍に配されている前記板状部材の前記一端部は、前記照明装置とは別の部材と直接対向して配されるものとすることができる。
【００１２】
このような構成によれば、照明装置と隣接して配されている別の部材とレンズ部品の一端部は直接対向して配されるので、別の部材とレンズ部品は連続するように配され、更に意匠性が向上する。
【００１３】
前記係合部は、前記レンズ部品が前記照明装置ハウジングに取り付けられる際に、前記照明装置ハウジングの前記ハウジング側係合部を構成している係合孔に係合される係合凸部を有しているものとすることができる。
【００１４】
このような構成によれば、係合部の係合凸部が照明装置ハウジングの係合孔に係合されることにより、レンズ部品を照明装置ハウジングに簡単にかつ安定して取り付けることができる。
【００１５】
前記レンズカバーの前記板状部材の端部から前記裏面側に立設している側壁部と、前記側壁部の立設先端面において、前記レンズパターンとは異なる複数の凸部からなる凸部パターンを有しているものとすることができる。
【００１６】
このような構成によれば、レンズカバーの端部においてはレンズパターンとは異なる凸部パターンを有しているため、レンズカバーの端部においても暗部が視認されにくくなっており、レンズカバー及びレンズ部品の意匠性が向上する。
【００１７】
前記レンズパターンの前記複数の凸部のそれぞれは四角錐形状を有しており、前記凸部パターンの前記複数の凸部のそれぞれは半円柱形状を有しているものとすることができる。
【００１８】
このような構成によれば、それぞれのレンズパターン及び凸部パターンを有するレンズ部品を容易に作ることができる。
【発明の効果】
【００１９】
本発明によれば、照明装置のレンズ部分において暗部が形成されにくく、照明装置のレンズ部品における意匠性を向上することが可能である。
【図面の簡単な説明】
【００２０】
【図１】車両の天井材に取り受けられた本発明の一実施形態に係る照明ユニットを示す説明図
【図２】照明ユニットの斜視図
【図３】照明ユニットのユニットハウジング及び照明装置の斜視図
【図４】照明レンズの主要部分の斜視図
【図５】照明ユニットにおける主要部分の断面図
【発明を実施するための形態】
【００２１】
本発明の一実施形態を図１から図５を参照して説明する。本実施形態においては、図１に示すような車両の天井材２に取り付けられている照明ユニット４について説明する。照明ユニット４は、天井材２において運転席と助手席の間や、前側座席と後部座席との間における車両幅の中央部に配されている。
【００２２】
照明ユニット４は、図２に示すように、照明装置６と表示装置８（別の部材）とを備えており、表示装置８は例えばデジタル時計としての表示機能を有しており、時刻を表示している。照明ユニット４において、照明装置６及び表示装置８は、照明装置６のレンズ部品１２の一端部３３と表示装置８の表示パネル１４の一端が位置合わせ部１６において所定の角度をもって連続して配されるようにユニットハウジング１０（照明装置ハウジング）に取り付けられている。
【００２３】
ユニットハウジング１０の構成について図２及び図３を参照して説明する。ユニットハウジング１０は略四角形状のフレーム部１９を備え、その内部に照明装置取付け部１８と、表示装置取付け部２０が隣接して設けられている。図４に示すように、照明装置取付け部１８は、照明装置６のレンズ部品１２を露出可能なレンズ露出開口部２２を有し、表示装置取付け部２０は、表示装置８の表示パネル１４を露出可能な表示面露出開口部２４を有している。照明装置取付け部１８と表示装置取付け部２０との隣接部分において、レンズ露出開口部２２と表示面露出開口部２４は、連続して設けられている。
【００２４】
照明装置取付け部１８は、図３に示すように、フレーム部１９から延設している壁部２９と、レンズ露出開口部２２に対向するように設けられている板部材２６により囲まれた箱形状に形成されており、その内部に光源５（図５参照）が取り付けられ、レンズ露出開口部２２を覆うようにレンズ部品１２が取り付けられる。ユニットハウジング１０の照明装置取付け部１８には、ハウジング側係合部２８が設けられており、レンズ部品１２に設けられた係合部３６がハウジング側係合部２８に係合することによりレンズ部品１２は照明装置取付け部１８に取り付けられる。本実施形態においてハウジング側係合部２８は係合孔である。図２に示すように、レンズ部品１２が照明装置取付け部１８に取り付けられた状態において、レンズ部品１２のレンズカバー３０がレンズ露出開口部２２から外部に露出している。
【００２５】
表示装置取付け部２０には表示装置８が取り付けられ、図２に示すように、表示パネル１４が表示面露出開口部２４から外側に露出している。照明装置６と表示装置８がユニットハウジング１０に取り付けられた状態において、図２及び図５に示すように、位置合わせ部１６において表示パネル１４とレンズ部品１２のレンズカバー３０とは連続するように隣接して配されている。
【００２６】
次に、レンズ部品１２の構成について詳細に説明する。図３に示すように、レンズ部品１２は光を透過可能な板状部材からなるレンズカバー３０と、レンズカバー３０の周端部において立設して設けられている側壁部３２と、レンズカバー３０の一端部３３の近傍においてレンズカバー３０から立設しているリブ３４とから構成されている。リブ３４は、互いに対向する側壁部３２を連結するように形成されている。リブ３４に対向するように配されている側壁部３２には係合部３８が形成されており、係合部３８の凸部は照明装置取付け部１８に設けられている係合孔（図示せず）に係合される。
【００２７】
図５に示すように、レンズ部品１２のレンズカバー３０において、表面３０Ａはレンズ露出開口部２２から露出しており、裏面３０Ｂには光源５からの光が入射される。レンズカバー３０の裏面３０Ｂには、図４に示すように、複数の凸部４０から構成されるレンズパターン４２が形成されている。本実施形態において、レンズパターン４２の各凸部４０は四角錐形状を有しており複数の凸部４０がマトリクス状に隙間なく形成されている。
【００２８】
図４に示すように、リブ３４はレンズカバー３０の裏面３０Ｂから立設している。係合部３６がリブ３４から更に延設して設けられており、係合部３６は先端部において係合凸部４６を有している。レンズ部品１２がユニットハウジング１０の照明装置取付け部１８に取り付けられる際には、係合凸部４６がハウジング側係合部２８である係合孔に挿入されることにより固定される。リブ３４及び係合部３６もレンズカバー３０と同様に光透過可能な材料から構成されている。リブ３４の立設先端面３４Ａ及び係合部３６の延設先端面３６Ａにもレンズカバー３０の裏面３０Ｂと同様のレンズパターン４２が形成されており、複数の凸部４０が形成されている。
【００２９】
側壁部３２の立設先端面３２Ａには、レンズパターン４２とは異なる複数の凸部４８からなる凸部パターン５０が形成されている。本実施形態において、凸部パターン５０の各凸部４８は略半円柱形状である。また、側壁部３２に設けられている係合部３８の先端面においてもレンズパターン４２が形成されている。このような構成により、レンズカバー３０の端部においても暗部が視認されにくくなっており、レンズカバー３０及び照明装置６の意匠性が向上する。
【００３０】
次に、上記のレンズ部品１２の作用及び効果について説明する。照明ユニット４において、照明装置６のレンズ部品１２の一端部３３は、表示装置８の表示パネル１４と隣り合って直接対向するように配されており、図２及び図６に示すように、位置合わせ部１６において連続して配されるような構成となっている。このような構成においては意匠性の向上のため、レンズ部品１２の一端部３３は表示パネル１４の一端と連続して配されているので係合部を形成することができない。そのため、レンズカバー３０の一端部３３の近傍において裏面３０Ｂからリブ３４を立設して係合部３６を形成している。
【００３１】
このような構成において、レンズカバーの裏面から立設したリブ及びリブから更に延設した係合部にレンズパターン４２を形成していない場合には、レンズカバーの他部分における表面から出射される光量に比べると、リブ及び係合部に重畳する部分においてレンズカバーの表面から出射される光量は少なくなる。そのため、レンズカバーの表面においてリブ及び係合部は暗部となって視認されてしまう。
【００３２】
本実施形態の構成においては、リブ３４の立設先端面３４Ａ及び係合部３６の延設先端面３６Ａにも、レンズカバー３０の裏面３０Ｂと同様のレンズパターン４２が形成されており、複数の凸部４０が形成されている。そのため、リブ３４の立設先端面３４Ａ及び係合部３６の延設先端面３６Ａから入射した光は、レンズカバー３０の他部分を通過する照明光と同様に反射あるいは屈折しつつリブ３４及び係合部３６を通過するので、レンズカバー３０を表面３０Ａから見たときに、リブ３４及び係合部３６が暗部として視認されにくい（図２参照）。上記したようなリブ及び係合部にレンズパターン４２を有していない構成と比較すると、光源からの照明光はより多くリブ３４及び係合部３６を通過するので、リブ３４及び係合部３６は暗部として視認されにくい。
【００３３】
このように本実施形態においては、別の部材である表示パネル１４と隣り合って連続するように配されているレンズカバー３０において、レンズカバー３０のユニットハウジング１０への係合部分がレンズカバー３０の表面から暗部として視認されにくくなっている。そのため、照明装置６の意匠性を向上することが可能である。
【００３４】
＜他の実施形態＞
本発明は上記記述及び図面によって説明した実施形態に限定されるものではなく、例えば次のような実施形態も本発明の技術的範囲に含まれる。
【００３５】
本実施形態においては、側壁部３２にはレンズカバー３０と異なる凸部形状から構成される凸部パターン５０が形成されていたが、レンズカバー３０のレンズパターン４２と同じ凸部４０が形成されていてもよい。
【符号の説明】
【００３６】
５…光源、６…照明装置、８…表示装置（別の部材）、１０…ユニットハウジング（照明装置ハウジング）、１２…レンズ部品、１４…表示パネル、１６…位置合わせ部、２８…ハウジング側係合部、３０…レンズカバー、３０Ａ…表面、３０Ｂ…裏面、３２…側壁部、３２Ａ…立設先端面、３３…一端部、３４…リブ、３４Ａ…立設先端面、３６…係合部、３６Ａ…延設先端面、３８…係合部、４０…凸部、４２…レンズパターン、４６…係合凸部、４８…突部、５０…凸部パターン
【図１】
2018206570.tif 000003
【図２】
2018206570.tif 000004
【図３】
2018206570.tif 000005
【図４】
2018206570.tif 000006
【図５】
2018206570.tif 000007